(57)【要約】【課題】プロジェクタ装置を含む角度調整を必要とする機器において、上下方向への操作機構を有するアジャスタ装置により機器の高さや角度調整を容易にする。【解決手段】プロジェクタ装置３０は、高さや角度を調整するためのアジャスタボタン３２を前方天面に有し、アジャスタボタン３２の押下げ操作により底面から脚１４が出入り可能なアジャスタ装置１０を前方略中央に有し、前方下部にはアジャスタボタン３２に親指を当てた場合に少なくとも該親指以外の数本の指が掛る形状または表面処理がなされた指当部を有している。ユーザは、アジャスタボタン３２を押下げる際に、前記指当部に指を掛けることにより、プロジェクタ装置３０を片手で安定して把持した状態で簡単確実に高さや角度調整を行うことが可能となる。【選択図】　　　　図４
2004054039.tif 000002
【特許請求の範囲】
【請求項１】
機器の高さや角度を調整するための調整ボタンを有し、該調整ボタンの押下げ操作により底面から脚が出入り可能なアジャスタ装置を前方略中央に有するアジャスタ装置を有する機器であって、該機器の前方下部には、前記調整ボタンに親指を当てた場合に少なくとも該親指以外の数本の指が掛る形状または表面処理がなされていることを特徴とするアジャスタ装置を有する機器。
【請求項２】
プロジェクタ装置の高さや角度を調整するための調整ボタンを前方天面に有し、該調整ボタンの押下げ操作により底面から脚が出入り可能なアジャスタ装置を前方略中央に有するプロジェクタ装置であって、該プロジェクタ装置の前方下部には、前記調整ボタンに親指を当てた場合に少なくとも該親指以外の数本の指が掛る形状または表面処理がなされていることを特徴とするプロジェクタ装置。
【請求項３】
プロジェクタ装置の高さや角度を調整するための調整ボタンを前方天面に有し、該調整ボタンの押下げ操作により底面から脚が出入り可能なアジャスタ装置を前方略中央に有するプロジェクタ装置であって、該プロジェクタ装置の前方下部には、携帯時に引き出して使用する把手が出し入れ可能に設けられ、前記調整ボタンに親指を当てた場合に少なくとも該親指以外の数本の指が前記把手に掛ることを特徴とするプロジェクタ装置。
【請求項４】
前記アジャスタ装置は、下端が開放されたピストン収容室と長さ方向に沿ってスライド可能な操作部材とを有する外装ケースと、前記ピストン収容室に摺動自在に挿入された上端部からなるピストン部と該ピストン部に連結した下端部からなるフット部とを有し、かつ、前記ピストン部と前記フット部との間において外周面の長さ方向に凹凸部が形成された脚部材と、該脚部材を下方へ常時付勢する脚部材用弾性部材と、前記脚部材の凹凸部に係合して該脚部材の上下動を規制するロック手段を有し、前記調整ボタンの押下げ操作に連動させて前記操作部材を下方に移動させることにより、前記ロック手段による前記脚部材への係合を解除し、該係合を解除した脚部材を移動自在にしたことを特徴とする請求項１に記載のアジャスタ装置を有する機器。
【請求項５】
下端が開放されたピストン収容室を有する外装ケースと、該ピストン収容室に摺動自在に挿入された上端部からなるピストン部と該ピストン部に連結した下端部からなるフット部とを有し、かつ、前記ピストン部と前記フット部との間において外周面の長さ方向に凹凸部が形成された脚部材と、該脚部材を下方へ常時付勢する脚部材用弾性部材と、前記脚部材の凹凸部に係合する凹凸部を有し、かつ、前記脚部材に当接・離脱可能なストッパ部材と、該ストッパ部材を前記脚部材に当接する方向に常時付勢するストッパ部材用弾性部材を有し、前記脚部材を前記外装ケースに対して上下動し、前記脚部材の前記外装ケースに対する相対位置を調整し、前記ストッパ部材にて前記調整した位置に前記脚部材をロックするようにしたアジャスタ装置を有する機器において、下方に移動することにより下端を前記ストッパ部材に押し当てる操作部材を有するとともに、前記機器の前方下部には、前記操作部材に親指を当てた場合に少なくとも該親指以外の数本の指が掛る形状または表面処理がなされていることを特徴とするアジャスタ装置を有する機器。
【発明の詳細な説明】
【０００１】
【発明の属する技術分野】
本発明は、アジャスタ装置を有する機器、プロジェクタ装置、より詳細には、例えばプロジェクタ装置などの電子機器を含む機器における高さや角度調整などの操作性を改善する技術に関する。
【０００２】
【従来の技術】
電子機器や家具などにおいては高さや角度を調整するために、高さ調整機能を有する脚を設けたものが広く実用化されている。例えば、テレビ映像やビデオ映像などを投影するプロジェクタにおいては、前側に設ける１対の脚として、高さ調整機能を有するものを使用し、投影角度を調整できるように構成されている。
前記高さ調整機能を有する脚としては、プロジェクタの機枠に螺軸を螺合させ、螺軸の下端に固定した座板を回転操作して、機枠に対する螺軸の螺進量を調整することで、プロジェクタの傾斜角度を調整できるように構成したものが使用されている。
【０００３】
しかしながら、このように螺軸の螺進量に応じて高さが調整されるので、調整量が多い場合には、螺軸を何回も回転操作する必要があり、調整作業が煩雑になるという問題がある。
【０００４】
そこで、上記課題解決を目的として、例えば、特開平１１−２４８０８９号公報や、特開平１１−３１１３９７号公報に記載の発明が提案されている。両者においては、脚部材形状と操作方法に若干の相違があるのみであり、代表例として、特開平１１−３１１３９７号公報に記載の発明に関して以下に説明する。
【０００５】
上記特開平１１−３１１３９７号公報には、下端を開放した有底の収容孔を有する外装ケースと、前記収容孔に気密摺動自在なピストン部を有する脚部材と、前記外装ケースとピストン部とで形成されるエア作動室を大気開放するためのオリフィスと、前記脚部材を下方へ常時付勢する脚用弾性部材と、前記脚部材の進退移動を規制可能なロック手段であって、脚部材の外周面にその長さ方向に一定間隔おきに形成した複数の規制凹凸部と、外装ケースにスライド操作可能に設けられ、規制凹凸部に係合可能な係止凹凸部を有する操作部材と、操作部材をその係止凹凸部が規制凹凸部に凹凸係合する方向へ常時付勢するロック用弾性部材とを有するロック手段とを備えた高さ調整機能付きフットが提案されている。
【０００６】
この高さ調整機能付き脚においては、ロック用弾性部材の付勢力に抗して操作部材を押し操作することで、係止凹凸部と規制凹凸部との係合が解除され、脚部材が移動し得る状態になるが、このとき脚部材が脚用弾性部材の付勢力により下降すると、エア作動室内に対してオリフィスを介して徐々に外気が流入し、脚部材が脚用弾性部材の付勢力に抗して上昇すると、エア作動室内のエアがオリフィスを介して徐々に外部に排出されるので、脚部材はオリフィスの通気抵抗に応じて低速度で昇降することになる。このように、エア作動室とオリフィスとが脚部材の昇降移動のダンパとして機能するので、このフットを組付けた家具や家電機器においては、高さ調整時における、急激な跳ね上がりや落ち込みなどの不用意な挙動が防止され、スムーズに角度や高さを調整できるとともに、微妙な角度や高さ調整が可能となる。しかも、操作部材を水平方向に押し操作することで、係止凹凸部と規制凹凸部との係合を解除できるので、プロジェクタなどのように、操作部材の配設スペースが上下方向にスペースが狭い場合でも、操作部材の操作性を十分に確保することが可能となる。
【０００７】
【発明が解決しようとする課題】
上述の高さ調整機能付き脚は、螺軸を用いた場合のように何回も回転操作したりすることなく、脚部材の突出量を調整できるので、この脚を組付けた電子機器や家具の昇降操作性を向上することができ、また、脚部材を外装ケースの収容孔に気密摺動自在に装着し、脚部材と外装ケースとで形成されるエア作動室をオリフィスを介して大気開放することで、フットに対してダンパ機能を付与しているので、高さ調整時における脚部材の移動速度が緩やかになり、フットを組付けた機器の急速な跳ね上がりや落ち込みを防止して、機器の不用意な挙動を防止できるとともに、微妙な角度調整も可能とする。
【０００８】
しかしながら、上記高さ調整機能付き脚は、高さ調整用の操作部材の構成が水平プッシュやシーソー方式であり、例えば、薄型電子機器などに好適な上下方向へのスライド機構を機器に具備し、それによって片手で簡単に機器を操作できるようにするなど、さらなる使い勝手の向上が望まれていた。
【０００９】
本発明は、上述のごとき実情に鑑みてなされたものであり、プロジェクタ装置などの電子機器を含む機器における高さや角度調整が容易に行え、しかも高さ調整時における不用意な挙動を効果的に抑制し、微妙な高さや角度調整が可能なアジャスタ装置を有する機器において、上下方向へのスライド機構を有するアジャスタ装置によって機器の高さや角度調整などの操作を容易かつ確実に行えるようにすること、を目的としてなされたものである。
【００１０】
【課題を解決するための手段】
本発明は、前述の特開平１１−２４８０８９号公報や特開平１１−３１１３９７号公報等に関連し、高さや角度調整を容易に可能とするアジャスタ装置を有する機器に関する発明であって、上記目的を達成するための第１の技術手段は、高さや角度を調整するための調整ボタンを有し、該調整ボタンの押下げ操作により底面から脚が出入り可能なアジャスタ装置を前方略中央に有するアジャスタ装置を有する機器であって、該機器の前方下部には、前記調整ボタンに親指を当てた場合に少なくとも該親指以外の数本の指が掛る形状または表面処理がなされていることを特徴としたものである。
【００１１】
第２の技術手段は、高さや角度を調整するための調整ボタンを前方天面に有し、該調整ボタンの押下げ操作により底面から脚が出入り可能なアジャスタ装置を前方略中央に有するプロジェクタ装置であって、該プロジェクタ装置の前方下部には、前記調整ボタンに親指を当てた場合に少なくとも該親指以外の数本の指が掛る形状または表面処理がなされていることを特徴としたものである。
【００１２】
第３の技術手段は、プロジェクタ装置の高さや角度を調整するための調整ボタンを前方天面に有し、該調整ボタンの押下げ操作により底面から脚が出入り可能なアジャスタ装置を前方略中央に有するプロジェクタ装置であって、該プロジェクタ装置の前方下部には、携帯時に引き出して使用する把手が出し入れ可能に設けられ、前記調整ボタンに親指を当てた場合に少なくとも該親指以外の数本の指が前記把手に掛ることを特徴としたものである。
【００１３】
これによると、プロジェクタ装置などの電子機器を含む機器における高さや角度調整が容易に行え、しかも高さ調整時における不用意な挙動を効果的に抑制し、微妙な高さや角度調整が可能なアジャスタ装置を有する機器において、アジャスタ装置に構成した上下方向へのスライド機構によって高さや角度調整が可能となるために、ユーザは、プロジェクタ装置などの薄型電子機器の高さや角度調整を、前記調整ボタンを押し下げることにより、片手で容易に行うことができる。
【００１４】
【発明の実施の形態】
本発明のアジャスタ装置を有する機器は、上下方向へのスライド機構を有するアジャスタ装置によって高さや角度調整を片手で容易に行えるようにしたものであって、このアジャスタ装置を搭載した家電機器や情報機器などの機器全般を含むものであるが、特に、本発明をプロジェクタ装置などの薄型電子機器に適用することで、機器の高さや角度調整などの操作をより簡単に行うことができる。本実施形態は、薄型電子機器の代表例としてプロジェクタ装置に関し、以下に示す図１乃至図４に基づいて説明する。
【００１５】
図１は、本発明が適用されたプロジェクタ装置の一例を示す外観図で、図中、１はプロジェクタ装置で、該プロジェクタ装置１は、映像光をスクリーンに投射するための投射レンズ２，アジャスタボタン３，固定フット４，キャリング時に引出して使用する把手５，アジャスタ装置１０を有している。本発明に係わるアジャスタ装置１０は、脚部材１４，フット２４を有している。図１（Ａ）はアジャスタ装置１０による投射角度調整時のプロジェクタ装置１の斜視図、図１（Ｂ）は把手５収納時のプロジェクタ装置１の天面図、図１（Ｃ）は把手５収納時のプロジェクタ装置１の正面図、図１（Ｄ）は把手５収納時のプロジェクタ装置１の側面図、図１（Ｅ）は把手５引出し時のプロジェクタ装置１の天面図、図１（Ｆ）は把手５引出し時のプロジェクタ装置１の側面図である。
【００１６】
このプロジェクタ装置１のキャリング時や移動時には、図１（Ｅ），図１（Ｆ）に示したように、把手５を引出して使用することになる。
【００１７】
図２は、本発明に係わるアジャスタ装置１０を分解した一例を示す分解図で、アジャスタ装置１０は、操作レバー１１、狭持部材（以下、本例ではネジコマという）１２、狭持用バネ１３、脚部材１４、脚部材用バネ１５、バネ受け１６、シーリング１７、上ケース１８、下ケース１９、ガイド２０、上スリーブ２１，下スリーブ２２、フットベース２３、フット２４を有している。本実施形態における操作レバー１１は、クサビ状先端部１１ａ，レバー天面１１ｂ，楕円孔部１１ｃを有している。また、ネジコマ１２は、ネジコマ１２ａとネジコマ１２ｂの２つの部材から構成され、それぞれ突起部１２ｃ，傾斜凹部１２ｄ，ガイドピン１２ｅ，メネジ部１２ｆを有している。また、脚部材１４は、凹凸部１４ａを有し、上ケース１８は、ボス１８ａ，レバーガイド１８ｂ，ビス孔１８ｃ，ガイド孔１８ｄ，ビス１８ｅ，呼吸孔１８ｆ，ビス１８ｇを有している。本実施形態においては、ストッパ部材に狭持部材１２を適用した場合を代表例として説明するが、本発明におけるストッパ部材は、本実施形態に限らず、脚部材１４を適度に保持できる構造で、かつ、脚部材１４に係合・離脱可能なものであればどのような形態でもよい。
【００１８】
また、ガイド２０は、突起部２０ａ，レバー用バネ２０ｂを有している。上スリーブ２１は、スリーブ２１ａとスリーブ２１ｂの２つの部材から構成され、スリーブ２１ａは、ガイド孔２１ｃ，切り欠き部２１ｄを有し、下スリーブ２２は、スリーブ２２ａとスリーブ２２ｂの２つの部材から構成され、スリーブ２２ａは、切り欠き部２２ｃを有している。
【００１９】
以下、上ケース１８の組立てについて詳細に説明する。
まず、操作レバー１１のクサビ状先端部１１ａを上ケース１８のレバーガイド１８ｂに合わせながら、楕円孔部１１ｃを２本のボス１８ａに通す。ガイド２０の突起部２０ａにバネ２０ｂの一方を掛け、他方をレバー天面１１ｂの裏側に当てながらガイド２０を２本のボス１８ａに嵌合させ、ビス１８ｇにてビス固定することで上ケース１８部分が完成し、この状態で操作レバー１１は、２本のボス１８ａの最外距離と操作レバー１１の楕円孔部１１ｃ長径との差の範囲で上下摺動が可能となり、上下摺動に伴いクサビ状先端部１１ａがガイド孔１８ｄを出入りすることになる。
【００２０】
次に、下ケース１９の組立てと、上下ケース部の組立てについて詳細に説明する。
まず、下ケース１９の底面に下スリーブ２２ａ，２２ｂを入れる。次に、ネジコマ１２ａ，１２ｂを図２に示す方向で対向させ、左右方向突起部１２ｃにそれぞれの狭持用バネ１３の一方を掛け、狭持用バネ１３の他方を下ケース１９の内壁に当接させながらネジコマ１２を下ケース１９に装着する。また、上スリーブ２１ａ，２１ｂを下ケース１９内のネジコマ１２の上に載せ、下ケース１９部分が完成する。上ケース１８部分と下ケース１９部分はビス孔１８ｃを通し４本のビス１８ｅでネジ固定され、操作レバー部組み品として組立てられる。
【００２１】
次に、脚部材１４の構成とアジャスタ装置１０の組み立てに関し、以下に説明する。
脚部材１４は円筒状で、この中には脚部材用バネ１５とバネ受け１６とが挿入されており、脚部材１４の下部には楕円形状のフットベース２３が圧入固定されている。このフットベース２３には、フット２４が嵌合されている。このフット２４の材質には、例えば、摩擦係数の高いゴムなどを好適に用いることができる。更に、脚部材１４の上部には溝があり、この溝にはシーリング１７が嵌合される。このシーリング１７には、例えば、ゴム製のシール材などを好適に用いることができる。
【００２２】
脚部材１４は、上ケース１８と下ケース１９とで構成された操作レバー部組み品内に内挿され、伸縮自在の脚としてダンパ機能を有するアジャスタ装置１０が完成する。操作レバー部組み品内壁と、脚部材１４上部のシーリング１７とが密着することで、アジャスタ脚部材１４は摺動自在なピストン部を構成することになる。
【００２３】
上述のように構成されたアジャスタ装置１０の動作について以下に説明する。図３は、本発明のアジャスタ装置１０を組み立てた状態の一例を示す概観図である。まず、操作レバー１１の押下げの無い状態では、ネジコマ１２において、狭持用バネ１３による付勢力にてメネジ部１２ｆが脚部材１４の凹凸部１４ａと螺合し、フット２４は所定の位置で固定されている。この際、ネジコマ１２が有するメネジ部１２ｆの凹凸形状は、ネジコマ１２ａ，１２ｂのいずれか一方、もしくは、ネジコマ１２ａ，１２ｂの両方に形成されているものとする。また、脚部材１４の凹凸形状（凹凸部１４ａ）は、脚部材１４の上端と下端との間において外周面の長さ方向に形成され、メネジ１２ｆの凹凸形状に対向するように配置される。この際、形成する凹凸部１４ａは、脚部材１４の上端と下端との間において外周面の長さ方向の全面又は一部でもよい。
【００２４】
図２及び図３において、操作レバー１１のレバー天面１１ｂを下方に押下げることでクサビ状先端部１１ａがガイド孔１８ｄ、２１ｃを通り、ネジコマ１２の傾斜凹部１２ｄに当たる。更に、操作レバー１１のレバー天面１１ｂを下方に押下げることでクサビ状先端部１１ａは狭持用バネ１３の付勢力に打ち勝って傾斜凹部１２ｄに深く入り込み、ネジコマ１２ａとネジコマ１２ｂとをクサビ状先端部１１ａの侵入方向と直交する左右の方向に押し広げる。ネジコマ１２ａとネジコマ１２ｂのおのおのの先端部には上下にガイドピン１２ｅが設けられており、ネジコマ１２ａとネジコマ１２ｂの移動は、上スリーブ２１と下スリーブ２２の切り欠き部２１ｄ、切り欠き部２２ｃにガイドされることになる。ネジコマ１２ａとネジコマ１２ｂとが左右に押し広げられることでメネジ部１２ｆと脚部材１４（凹凸部１４ａ）との螺合が解除され、脚部材１４は脚部材用バネ１５の付勢力と呼吸孔１８ｆの通気抵抗にてダンパ機能を有し、徐々に下方に押し下げられる。
【００２５】
尚、操作レバー１１の押下げでメネジ部１２ｆと脚部材１４（凹凸部１４ａ）との螺合が解除されている状態では、フット２４を脚部材用バネ１５の付勢力と呼吸孔１８ｆの通気抵抗に抗して押し込むことも可能であり、図１に示したようなプロジェクタ装置１などの下部にアジャスタ装置１０を配置し、アジャスタボタン３を押し下げることで、これに連動した操作レバー１１が押し下げられて、プロジェクタ装置１の高さ調整や角度調整が可能となる。
【００２６】
以上、説明したように、アジャスタ装置１０を搭載するプロジェクタ装置１の角度調整に関し、前述した図１に基づいて説明する。
図１に示したプロジェクタ装置１には、アジャスタ装置１０がプロジェクタ装置１の前方略中央に１個設けられ、アジャスタ装置１０のフット２４とプロジェクタ装置１の固定フット４（後底端２箇所）との３点でプロジェクタ装置１を保持する構造となっている。尚、アジャスタ装置１０を、例えば、プロジェクタ装置１の両側面前方に２個設けるようにしてもよく、この場合、４点でプロジェクタ装置１を保持する構造となる。
【００２７】
ここで、アジャスタボタン３はレバー天面１１ｂを押下するボタンで、プロジェクタ装置１の天面に設けられ、把手５はプロジェクタ装置１の底面に設けられ、その底面に略平行に出し入れ可能に配置され、把手５のグリップ部分はプロジェクタ装置１の高さ方向に向けて湾曲しており、プロジェクタ装置１のキャリング時や携帯時に重量バランスが取り易い形状となっている。この際、アジャスタボタン３の設置位置は、プロジェクタ装置１の天面における任意の位置、あるいは天面以外の面における任意の位置でもよく、レバー天面１１ｂを押下できるように設置されていればよい。また、アジャスタボタン３を設けないようにした形態をとることも可能である。この場合、ユーザが操作レバー１１を直接操作できるように、プロジェクタ装置１の筐体をアジャスタ装置１０の操作レバー１１の形状に応じて加工するか、もしくは、アジャスタ装置１０の操作レバー１１をプロジェクタ装置１の筐体に応じて加工するようにする。
【００２８】
ユーザは、プロジェクタ装置１のキャリング時や移動時には、図１（Ｅ）や、図１（Ｆ）に示したように把手５を引出して使用し、プロジェクタ装置１の設置場所が決定されると、把手５をプロジェクタ装置１内に収納し、プロジェクタ装置１を使用することになる。この把手５は、収納時にプロジェクタ装置１の前方下部に内臓されていてもよく、プロジェクタ装置１のキャリング時や移動時には、例えば、把手５が内臓されている面をワンプッシュするなどで、把手５を引き出して使用する形態も可能である。
【００２９】
ユーザがプロジェクタ装置１を所定位置に設置し、プロジェクタ装置１の投影角度調整を行う場合は、ユーザは、例えば図１（Ａ）に示したように、右手の親指以外の指をプロジェクタ装置１の底面部に収納された把手５のグリップ部に掛け、手の平をプロジェクタ装置１のキャビネット前面部に沿って添えて、親指の腹部をアジャスタボタン３側部に当て、親指をアジャスタボタン３上に置く。このように手を添えることで、親指以外の指先と親指の腹部でプロジェクタ装置１が把持され、親指によるアジャスタボタン３の操作が容易になる。もちろん、左利きのユーザの場合などに、左手を用いても同様の操作を行うことができ、また、アジャスタボタン３を押し下げる指は親指に限らず、ユーザの使い勝手に応じて適宜操作を行うことができる。
【００３０】
上述したように、親指でアジャスタボタン３を押し下げることでフット２４の上下移動がフリーになり、ユーザはスクリーンの投射映像を見ながら右手でプロジェクタ装置１の前面部を上下させて適当な投影角度で親指をアジャスタボタン３から離すことで投影角度が設定されることになる。
【００３１】
本発明のアジャスタ装置１０を搭載したプロジェクタ装置１は、上記のように構成されているため、角度設定時などアジャスタボタン３を押下げた状態でプロジェクタ装置１の前面部を上下させている間は、フット２４は常に設置されている床面や机面に接触しており、ユーザはフット２４部分の浮き上がりなどの状態を気にすることなく、スクリーンを見ながらアジャスタボタン３の操作のみで投影角度の設定を行うことが可能となる。
【００３２】
本発明によると、プロジェクタ装置を含む角度調整を必要とする機器において、機器を片手で安定して把持した状態で簡単確実に角度調整を行うことが可能となる。また、ダンパ機能を有するアジャスタ装置を用いることで、アジャスタ脚の状態を気にすることなく、例えばプロジェクタ装置に使う場合にはスクリーン上の映像のみに注力して角度調整をおこなうことができる。さらに、片手で角度調整をしながら、もう一方の空いている手によって機器の天面に位置しているその他の調整ボタンの調整、或いはレンズの調整等を行うことも可能となる。
【００３３】
上記実施形態においては把手５を有するプロジェクタ装置に関する説明であるが、プロジェクタ装置に把手５を有しない実施形態をとることも可能である。これについて、以下に示す図４に基づいて説明する。
図４は、本発明のプロジェクタ装置に搭載されたアジャスタ装置１０とプロジェクタ装置の前部の一例を示す図で、図中、３０はプロジェクタ装置で、該プロジェクタ装置３０は、投射レンズ３１，アジャスタボタン３２，前部に指当部３３を有している。図４（Ａ）はプロジェクタ装置３０に搭載されたアジャスタ装置１０とプロジェクタ装置３０の前部を示す斜視図、図４（Ｂ）はプロジェクタ装置３０の前部を示す側面図、図４（Ｃ）はプロジェクタ装置３０の前部を示す正面図である。本実施形態におけるプロジェクタ装置３０は、図１に示したプロジェクタ装置１の把手５の代わりに指当部３３を有している点でプロジェクタ装置１と異なり、その他の構成についてはプロジェクタ装置１と同様である。尚、プロジェクタ装置３０は、把手５と指当部３３の両方を有する構成としてもよい。
【００３４】
指当部３３は、プロジェクタ装置３０の前部斜面部に帯状でそれぞれ短い間隔で数ヶ所形成され、断面が三角形状になっている箇所に掛けた指が滑らない様に凹凸形状をなし、かつ親指で天面部に設けたアジャスタボタン３２を押せる位置に設けられている。
【００３５】
ユーザは、右手の親指以外の指を指当部３３に当て、手の平をプロジェクタ装置３０の前面キャビネット部に沿って添えて、親指の腹部をアジャスタボタン３２側部に当て、親指をアジャスタボタン３２上に置き、アジャスタボタン３２を操作することになる。もちろん、左利きのユーザの場合などに、左手を用いても同様の操作を行うことができ、また、アジャスタボタン３２を押し下げる指は親指に限らず、ユーザの使い勝手に応じて適宜操作を行うことができる。
【００３６】
尚、指当部３３を設ける位置としては、プロジェクタ装置３０の前部斜面部に限られるものでは無く、例えばコの字状で親指と他の指で把持できる形状など、プロジェクタ装置３０の高さやアジャスタボタン３２の位置との関係に応じて設けられ、且つ形状も指先の引っ掛かりとなる形状や表面形状をなせば良いものである。
【００３７】
本発明によると、プロジェクタ装置などの機器に把手を有していなくても、ユーザの指が当たる部分に凹凸形状や、表面処理を施すことで、機器を片手で安定して把持した状態で簡単確実に角度調整を行うことが可能となる。
【００３８】
【発明の効果】
本発明によると、プロジェクタ装置などの電子機器を含む機器における高さや角度調整が容易に行え、しかも高さ調整時における不用意な挙動を効果的に抑制し、微妙な高さや角度調整が可能なアジャスタ装置を有する機器において、上下方向へのスライド機構を有するアジャスタ装置によって機器の高さや角度調整などの操作を容易かつ確実に行うことができる。
【図面の簡単な説明】
【図１】本発明が適用されたプロジェクタ装置の一例を示す外観図である。
【図２】本発明に係わるアジャスタ装置を分解した一例を示す分解図である。
【図３】本発明のアジャスタ装置を組み立てた状態の一例を示す概観図である。
【図４】本発明のプロジェクタ装置に搭載されたアジャスタ装置とプロジェクタ装置の前部の一例を示す図である。
【符号の説明】
１，３０…プロジェクタ装置、２，３１…投射レンズ、３，３２…アジャスタボタン、４…固定フット、５…把手、１０…アジャスタ装置、１１…操作レバー、１１ａ…クサビ状先端部、１１ｂ…レバー天面、１１ｃ…楕円孔部、１２，２５…狭持部材（ネジコマ）、１２ａ，１２ｂ…ネジコマ、１２ｃ…突起部、１２ｄ，２５ａ…傾斜凹部、１２ｅ，２５ｂ…ガイドピン、１２ｆ，２５ｃ…メネジ部、１３…狭持用バネ、１４…脚部材、１４ａ…凹凸部、１５…脚部材用バネ、１６…バネ受け、１７…シーリング、１８…上ケース、１８ａ…ボス、１８ｂ…レバーガイド、１８ｃ…ビス孔、１８ｄ…ガイド孔、１８ｅ…ビス、１８ｆ…呼吸孔、１８ｇ…ビス、１９…下ケース、２０…ガイド、２０ａ…突起部、２０ｂ…レバー用バネ、２１…上スリーブ、２１ａ，２１ｂ…スリーブ、２１ｃ…ガイド孔、２１ｄ…切り欠き部、２２…下スリーブ、２２ａ，２２ｂ…スリーブ、２２ｃ…切り欠き部、２３…フットベース、２４…フット、３３…指当部。
【図１】
2004054039.tif 000003
【図２】
2004054039.tif 000004
【図３】
2004054039.tif 000005
【図４】
2004054039.tif 000006